(57)【特許請求の範囲】
【請求項１】
情報データを担う情報ピットが形成されるべき情報記録トラックの間に同期プリピットと前記情報記録トラックに関連する情報を担う情報プリピットとが繰り返し形成された記録面を有する光記録媒体のプリピット波形測定装置であって、
前記トラックの接線方向に第１及び第２受光面として分割された受光面を有し、前記記録面に照射された光ビームの反射光を前記第１及び第２受光面で受光して前記第１及び第２受光面各々の受光量に応じた第１及び第２光検出信号を出力する光検出手段と、
前記光検出手段から出力された前記第１及び第２光検出信号の差を算出してプッシュプル信号を生成する減算手段と、
前記プッシュプル信号に基づいて前記同期プリピットと前記情報プリピットとのプリピット間隔を検出するプリピット間隔検出手段と、
前記プッシュプル信号を所定期間に亘ってサンプリングしてサンプルデータを収集して保存する収集手段と、
前記収集手段によって収集されたサンプルデータに基づいた波形を前記同期プリピットの位置から前記プリピット間隔に対応した遅延時間だけ遅延させて表示装置に表示させる表示制御手段と、を備えたことを特徴とするプリピット波形測定装置。
【請求項２】
前記情報記録トラックは予め定められた周波数でウォブリングされたウォブリングトラックであり、
前記プリピット間隔検出手段は、前記プッシュプル信号の周期に基づいて前記プリピット間隔を検出することを特徴とする請求項１記載のプリピット波形測定装置。
【請求項３】
前記プリピット間隔検出手段は、前記プッシュプル信号を基準レベルと比較して２値化ウォブル信号を生成するコンパレータと、前記２値化ウォブル信号を４分周してパルスを出力する４分周回路と、前記４分周回路の出力パルスの時間幅をクロック計数によって検出するカウンタとからなることを特徴とする請求項２記載のプリピット波形測定装置。
【請求項４】
前記プリピット間隔検出手段は、前記プッシュプル信号中のプリピット成分を検出し、そのプリピット成分の検出間隔から前記プリピット間隔を検出することを特徴とする請求項１記載のプリピット波形測定装置。
【請求項５】
前記プリピット間隔検出手段は、前記プッシュプル信号を所定のプリピットスライス信号と比較して２値化プリピット信号を生成するコンパレータと、前記２値化プリピット信号の前エッジに応じて所定幅のパルスを発生する単安定マルチバイブレータと、前記所定幅のパルスの存在時に前記２値化プリピット信号を２分周して分周パルスを出力する２分周回路と、前記所定幅のパルスの存在時に前記２分周回路の出力パルスの時間幅をクロック計数によって検出するカウンタとからなることを特徴とする請求項４記載のプリピット波形測定装置。
【請求項６】
前記所定幅のパルスは前記同期プリピットと前記情報プリピットとの規定のプリピット間隔より若干長いパルスであることを特徴とする請求項５記載のプリピット波形測定装置。
【請求項７】
前記プリピット間隔検出手段は、前記プッシュプル信号中の前記同期プリピットに対するプリピット成分を検出し、そのプリピット成分の検出間隔を所定数で割って前記プリピット間隔を検出することを特徴とする請求項１記載のプリピット波形測定装置。
【請求項８】
前記プリピット間隔検出手段は、前記プッシュプル信号を所定のプリピットスライス信号と比較して２値化して２値化プリピット信号を生成するコンパレータと、前記２値化プリピット信号の前エッジに応じて所定幅のパルスを発生する単安定マルチバイブレータと、前記単安定マルチバイブレータの出力パルス信号を２分周してパルスを出力する２分周回路と、前記２分周回路の出力パルスの時間幅をクロック計数によって検出するカウンタと、前記カウンタの計数値を前記所定数で除算する除算器とからなることを特徴とする請求項７記載のプリピット波形測定装置。
【請求項９】
前記表示装置は、前記プッシュプル信号のプリピット成分の間隔及びそのプリピット成分の幅を測定する自動測定機能を有するオシロスコープであることを特徴とする請求項１記載のプリピット波形測定装置。
【請求項１０】
前記表示制御手段は、前記プリピット成分の間隔から前記プリピット成分の幅の半分を差し引いた間隔を前記遅延時間とすることを特徴とする請求項１又は９記載のプリピット波形測定装置。
【請求項１１】
情報データを担う情報ピットが形成されるべき情報記録トラック間に同期プリピットと前記情報記録トラックに関連する情報を担う情報プリピットとが繰り返し形成された記録面を有する光記録媒体のプリピット波形測定方法であって、
前記トラックの接線方向に第１及び第２受光面として分割された受光面を有し、前記記録面に照射された光ビームの反射光を前記第１及び第２受光面で受光して前記第１及び第２受光面各々の受光量に応じた第１及び第２光検出信号を出力するステップと、
前記第１及び第２光検出信号の差を算出してプッシュプル信号を生成するステップと、
前記プッシュプル信号に基づいて前記同期プリピットと前記情報プリピットとのプリピット間隔を検出するステップと、
前記プッシュプル信号を所定期間に亘ってサンプリングしてサンプルデータを収集して保存するステップと、
収集したサンプルデータに基づいた波形を前記同期プリピットの位置から前記プリピット間隔に対応した遅延時間だけ遅延させて表示装置に表示させるステップと、を備えたことを特徴とするプリピット波形測定方法。
【請求項１２】
情報データを担う情報ピットが形成されるべき情報記録トラック間に同期プリピットと前記情報記録トラックに関連する情報を担う情報プリピットとが繰り返し形成された記録面を有する光記録媒体からプリピットを検出するために、前記記録面に照射された光ビームの反射光を前記トラックの接線方向に分割された第１及び第２受光面で受光して前記第１及び第２受光面各々の受光量に応じた第１及び第２光検出信号を出力し、前記第１及び第２光検出信号の差を算出してプッシュプル信号を生成し、前記プッシュプル信号に基づいた波形を表示装置に表示させるプリピット波形測定方法を実行するコンピュータ読取可能なプログラムであって、
前記プッシュプル信号に基づいて前記同期プリピットと前記情報プリピットとのプリピット間隔を検出するステップと、
前記プッシュプル信号を所定期間に亘ってサンプリングしてサンプルデータを収集して保存するステップと、
収集したサンプルデータに基づいた波形を前記同期プリピットの位置から前記プリピット間隔に対応した遅延時間だけ遅延させて前記表示装置に表示させるステップと、を備えたことを特徴とするプログラム。
【発明の詳細な説明】
【０００１】
【発明が属する技術分野】
本発明は、プリピットが情報記録トラック間に繰り返し形成された記録面を有する光記録媒体のプリピット波形測定装置に関する。
【０００２】
【従来の技術】
現在、情報データの書込が可能な光学式の記録ディスクとして、ＣＤ−Ｒ、ＣＤ−ＲＷ、ＤＶＤ−Ｒ、ＤＶＤ−ＲＷ、ＤＶＤ−ＲＡＭ等が知られている。更に、このような記録ディスクに対して情報データの記録及び再生を行う情報記録再生装置が製品化されてきた。
【０００３】
図１は、上記記録ディスクとしてのＤＶＤ−ＲＷの領域構成を概略的に示す図である。
図１に示すように、ＤＶＤ−ＲＷは、ディスク内周側から外周側に向けて、ＰＣＡ(Power Calibration Area)、ＲＭＡ(Recording Management Area)、リードインエリア、データ、リードアウトエリアからなるデータ構造を有している。ＰＣＡはレーザビームの記録パワーを決定するときの試し書きを行うエリアであり、ＲＭＡは記録に関する管理情報を書き込むエリアである。リードインエリアの一部にはエンボス領域が形成されている。エンボス領域はディスクに予め形成された位相ピットであり、エンボス領域にはコピー防止等に関する情報が記録される場合がある。
【０００４】
図２は、かかる記録可能なディスクの記録面上の一部を示す図である。
図２に示す如く、ディスク基板１０１上には、螺旋状もしくは同心円状に、情報データを担う情報ピットＰtが形成されるべき凸状のグルーブトラック１０３、及び凹状のランドトラック１０２が交互に形成されている。更に、互いに隣接するグルーブトラック１０３間には、複数のＬＰＰ(ランドプリピット)１０４が形成されている。ＬＰＰ１０４は、ディスクレコーダが情報データを記録する際にその記録タイミング及びアドレスを知る為にランドトラック１０２上に予め設けられているものである。
【０００５】
かかるＬＰＰを有する光ディスクを再生するディスクプレーヤにおいては、ＬＰＰ検出回路が備えられている。ＬＰＰ検出回路は、２値化回路から構成され、ピックアップによって光ディスクからの反射ビームを例えば、トラック接線方向に２分割の光検出器で受光し、その光検出器の出力信号の差信号、すなわちラジアルプッシュプル信号ＰＰを得る。プッシュプル信号ＰＰは図３に示すような波形であり、ＬＰＰ成分はそのプッシュプル信号ＰＰから突出した成分となる。よって、そのプッシュプル信号ＰＰのレベルと閾値とを比較することによりＬＰＰの検出を示すプリピット検出信号ＰＰDを生成する。
【０００６】
プリピット検出信号ＰＰDは、ＬＰＰに対応したピックアップの読み取り位置毎に図４に示す如くパルス状にレベル変化が生じる。プリピット検出信号ＰＰD中には図４に示す如く周期Ｔ毎に表れる同期パルスＰSYNCが存在する。同期パルスＰSYNCに続いて２つのプリデータパルスが所定の間隔で存在するが、それらはアドレス等のデータを表すために各周期において常に存在する訳ではない。図４に示すように同期パルスＰSYNCから３番目の位置のパルスがセクタアドレスを担うプリデータパルスＰDである。光ディスクに情報を記録する際にはこのプリピット検出信号ＰＰDに基づいて光ディスクのアドレスを検出して情報の記録が行われる。
【０００７】
ＬＰＰを含む光ディスクの製造メーカに対しては、製造された光ディスクのＬＰＰが規格を満たしたものであることが要求されている。規格を満たした光ディスクであるを判断するためにＡＲ(Aperture Ratio)測定が行われる。ＡＲ測定では、プッシュプル信号ＰＰのＬＰＰ成分（同期用のＬＰＰから３番目のＬＰＰ位置部分）が所定の期間だけ繰り返しサンプリングされる。このサンプリングによって３番目のＬＰＰ部分のプッシュプル信号ＰＰの重複波形、すなわちプリピット波形が図５に示すように、オシロスコープ等の表示装置に表示される。この表示のためには、同期用のＬＰＰでトリガを掛けて３番目のＬＰＰが表示装置の画面中央に位置するように遅延時間を手動調整することが行われる。
【０００８】
その表示されたプッシュプル信号ＰＰにおけるグルーブトラック成分の最大値ＷＯmaxからのピーク値の最大値ＡＰmax及び最小値ＡＰminを検出し、ＡＲ値を規格式であるＡＲ＝ＡＰmin／ＡＰmaxの如く算出し、そのＡＲ値が規定値以上であることを確認する必要がある。ＡＲ値が大きいということは２値化可能範囲が広くなり、プリピット検出の検出精度が高いということである。
【０００９】
【発明が解決しようとする課題】
かかるＡＲ測定では、上記のように、同期用のＬＰＰから３番目のＬＰＰの成分を含むプッシュプル信号ＰＰの重複波形、すなわちプリピット波形が表示装置の表示画面の中央に位置するように時間軸調整が手動操作によって行われる。しかしながら、ディスクには、例えば、４倍速対応ディスクのように線速度が異なるディスクやＬＰＰの間隔が大きくずれているディスクがあるので、そのようなディスクの場合にはその都度手動操作によって調整する必要があり、測定手順が増えて測定時間が長くなってしまうという問題があった。
【００１０】
そこで、本発明の目的は、プリピット波形を表示装置の表示画面の中央に容易に位置させることができるプリピットを有する光記録媒体のプリピット波形測定装置を提供することである。
【００１１】
【課題を解決するための手段】
本発明のプリピット波形測定装置は、情報データを担う情報ピットが形成されるべき情報記録トラックの間に同期プリピットと情報記録トラックに関連する情報を担う情報プリピットとが繰り返し形成された記録面を有する光記録媒体のプリピット波形測定装置であって、トラックの接線方向に第１及び第２受光面として分割された受光面を有し、記録面に照射された光ビームの反射光を第１及び第２受光面で受光して第１及び第２受光面各々の受光量に応じた第１及び第２光検出信号を出力する光検出手段と、光検出手段から出力された第１及び第２光検出信号の差を算出してプッシュプル信号を生成する減算手段と、プッシュプル信号に基づいて同期プリピットと情報プリピットとのプリピット間隔を検出するプリピット間隔検出手段と、プッシュプル信号を所定期間に亘ってサンプリングしてサンプルデータを収集して保存する収集手段と、収集手段によって収集されたサンプルデータに基づいた波形を同期プリピットの位置からプリピット間隔に対応した遅延時間だけ遅延させて表示装置に表示させる表示制御手段と、を備えたことを特徴としている。
【００１２】
本発明のプリピット波形測定方法は、情報データを担う情報ピットが形成されるべき情報記録トラック間に同期プリピットと情報記録トラックに関連する情報を担う情報プリピットとが繰り返し形成された記録面を有する光記録媒体のプリピット波形測定方法であって、トラックの接線方向に第１及び第２受光面として分割された受光面を有し、記録面に照射された光ビームの反射光を第１及び第２受光面で受光して第１及び第２受光面各々の受光量に応じた第１及び第２光検出信号を出力するステップと、第１及び第２光検出信号の差を算出してプッシュプル信号を生成するステップと、プッシュプル信号に基づいて同期プリピットと情報プリピットとのプリピット間隔を検出するステップと、プッシュプル信号を所定期間に亘ってサンプリングしてサンプルデータを収集して保存するステップと、収集したサンプルデータに基づいた波形を同期プリピットの位置からプリピット間隔に対応した遅延時間だけ遅延させて表示装置に表示させるステップと、を備えたことを特徴としている。
【００１３】
また、本発明のプログラムは、情報データを担う情報ピットが形成されるべき情報記録トラック間に同期プリピットと情報記録トラックに関連する情報を担う情報プリピットとが繰り返し形成された記録面を有する光記録媒体からプリピットを検出するために、記録面に照射された光ビームの反射光をトラックの接線方向に分割された第１及び第２受光面で受光して第１及び第２受光面各々の受光量に応じた第１及び第２光検出信号を出力し、第１及び第２光検出信号の差を算出してプッシュプル信号を生成し、プッシュプル信号に基づいた波形を表示装置に表示させるプリピット波形測定方法を実行するコンピュータ読取可能なプログラムであって、プッシュプル信号に基づいて同期プリピットと情報プリピットとのプリピット間隔を検出するステップと、プッシュプル信号を所定期間に亘ってサンプリングしてサンプルデータを収集して保存するステップと、収集したサンプルデータに基づいた波形を同期プリピットの位置からプリピット間隔に対応した遅延時間だけ遅延させて表示装置に表示させるステップと、を備えたことを特徴としている。
【００１４】
【発明の実施の形態】
以下、本発明の実施例を図面を参照しつつ詳細に説明する。
図６は本発明によるプリピット波形測定装置を示している。このプリピット波形測定装置において、検査対象の光ディスク１に対して情報を書き込み及び読み出しを行うことができる記録再生ヘッド２が備えられている。記録再生ヘッド２には、図２に示した如き記録面を有する追記又は書換可能な光ディスク１に対して情報データの記録を行う記録ビーム光発生装置（図示せず）、光ディスク１から記録情報(情報データを含む)の読み取りを行う読取ビーム光発生装置(図示せず）及び４分割光検出器（図７の符号２０）が搭載されている。
【００１５】
記録ビーム光発生装置と読取ビーム光発生装置とは個別に設ける必要はなく、記録時には記録用光ビームを発生し、読取時には読取用光ビームを発生する１つの光ビーム発生装置であっても良い。
読取ビーム光発生装置は、スピンドルモータ９によって回転駆動される光ディスク１に読取ビーム光を照射し、その記録面上に情報読取スポットを形成させる。４分割光検出器２０は、図７に示すように、光ディスク１の情報記録トラック（グルーブトラック１０３）の接線に沿った方向と、記録トラックの接線に直交する方向とによって４分割された受光面２０ａ〜２０ｄを有する光電変換素子からなる。その光電変換素子は、情報読取スポットによる光ディスク１からの反射光を４つの受光面２０ａ〜２０ｄ各々によって受光し、夫々を個別に電気信号に変換したものを受光信号Ｒａ〜Ｒｄとして出力する。
【００１６】
サーボ制御装置４は、これら受光信号Ｒａ〜Ｒｄに基づいてフォーカスエラー信号、トラッキングエラー信号及びスライダ駆動信号を各々生成する。フォーカスエラー信号は、記録再生ヘッド２に搭載されているフォーカシングアクチュエータ（図示せず）に供給される。フォーカシングアクチュエータは、フォーカスエラー信号に基づいて情報読取スポットの焦点を調整する。トラッキングエラー信号は、記録再生ヘッド２に搭載されているトラッキングアクチュエータ（図示せず）に供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【００１７】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０ａ及び２０ｄによって各々受光されて得られた受光信号Ｒａ及びＲd同士を加算して加算受光信号Ｒa+dを出力する。また、加算器２２は４分割光検出器２０の受光面２０ｂ及び２０ｃ各々によって受光されて得られた受光信号Ｒb及びＲc同士を加算して加算受光信号Ｒb+cを出力する。
【００１８】
加算器２３は加算器２１，２２の各出力信号Ｒa+d，Ｒb+cを加算する。加算器２３の出力信号は読取信号、すなわちＲＦ信号であり、情報データ再生回路３０に供給される。情報データ再生回路３０は、その読取信号を２値化した後、復調処理、誤り訂正処理、及び各種情報復号処理を順次実施することにより、光ディスク１に記録されていた情報データ（映像データ、音声データ、コンピュータデータ）の再生を行い、これを出力する。
【００１９】
減算器２４は加算器２１の出力信号Ｒa+dから加算器２２の出力信号Ｒb+cを減算する。減算器２４の出力信号は上記のトラック１０３のウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。スピンドルサーボ装置２６の構成については特開平１０−２８３６３８号公報に既に開示されているので、ここでの説明は省略する。
【００２０】
プリピット検出回路５は、加算器２１，２２の各出力信号に基づいて、図２に示した如き、光ディスク１のランドトラック(プリピットトラック)１０２上に形成されているランドプリピット(ＬＰＰ)１０４を検出してプリピット検出信号ＰＰDを記録処理回路７に供給する。
記録処理回路７は、プリピット検出信号ＰＰDに基づいて、現時点において記録再生ヘッド２が記録を行っている位置、すなわち、グルーブトラック１０３上の位置を認識し、この記録位置から所望の記録位置へと記録再生ヘッド２をトラックジャンプせしめるべき制御信号をサーボ制御装置４に供給する。更に、記録処理回路７は、記録すべき情報データ（検査用の情報データ）に対して所望の記録変調処理を施して記録変調データ信号を生成し、これを上記記録再生ヘッド２に供給する。記録再生ヘッド２に搭載されている記録ビーム光発生装置は、かかる記録変調データ信号に応じた記録ビーム光を発生し、これを光ディスク１上のグルーブトラック１０３上に照射する。この際、かかる記録ビームが照射されたグルーブトラック１０３上の領域に熱が伝わりその領域に、情報ピットが形成されて行く。
【００２１】
記録処理回路７の構成についても特開平１０−２８３６３８号公報に既に開示されているので、ここでのこれ以上の説明は省略する。
プリピット検出回路５は、図７に示すように、加算器２１の出力信号Ｒa+dを増幅する増幅器３１と、加算器２２の出力信号Ｒb+cを増幅する増幅器３２と、増幅器３１の出力信号から増幅器３２の出力信号を減算してラジアルプッシュプル信号（グルーブウォブル信号）ＰＰとして出力する減算器３３と、減算器３３の出力プッシュプル信号ＰＰを閾値ＴＨにて２値化して上記のプリピット検出信号ＰＰDを生成する２値化回路３４とからなる。増幅器３１の利得Ｇ１と増幅器３２の利得Ｇ２とは、Ｇ１＝Ｇ２に設定される。
【００２２】
減算器３３から出力されるプッシュプル信号ＰＰはＬＰＰ間隔検出回路６０及びオシロスコープ６１に供給される。２値化回路３４の出力信号は後述のパーソナルコンピュータ６２に供給される。
ＬＰＰ間隔検出回路６０は、図７に示すように、コンパレータ７１と、４分周回路７２と、カウンタ７３とからなる。コンパレータ７１はプッシュプル信号ＰＰとウォブルスライス信号Ｗslice（基準レベル）と比較して２値化ウォブル信号を生成する。４分周回路７２は２値化ウォブル信号を４分周する。カウンタ７３はクロック信号のパルスを計数して２値化ウォブル信号の周期を検出する。クロック信号の周波数はプッシュプル信号ＰＰの周波数より十分に高い。カウンタ７３の計数結果はＬＰＰ間隔としてパーソナルコンピュータ６２に供給される。
【００２３】
オシロスコープ６１はプッシュプル信号ＰＰをサンプリングして例えば、プッシュプル信号ＰＰ中のＬＰＰに対応した部分を表示するものである。
オシロスコープ６１にはパーソナルコンピュータ（以下、パソコンと称す）６２が接続されている。パソコン６２はオシロスコープ６１の内部メモリ（例えば、後述のサンプルメモリ９３）に記憶されたプッシュプル信号ＰＰのレベルデータ及びＬＰＰ間隔検出回路６０によるＬＰＰ間隔検出値を用いて後述の遅延時間を算出する。パソコン６２の具体的な構成は示さないが、少なくともＣＰＵ６５及び内部メモリ６６を含んでいる。
【００２４】
パソコン６２とオシロスコープ６１との間の接続は例えば、ＧＰＩＢ、１０ＢＡＳＥ−Ｔ、或いはＲＳ−２３２Ｃ等のインターフェース規格に基づいている。２値化回路３４から出力された信号（プリピット検出信号ＰＰD）は図示しないエラーレート検出回路に供給され、そこでその供給された信号に応じたエラーレートが検出される。
【００２５】
オシロスコープ６１は例えば、図８に示す構成を有することができる。すなわち、オシロスコープ６１は、Ａ／Ｄ変換器９１と、制御回路９２と、サンプルメモリ９３と、表示メモリ９４と、Ｘ及びＹドライバ９５，９６と、表示パネル９７と、操作部９８と、インターフェース９９とを備えている。Ａ／Ｄ変換器９１は入力アナログ信号をディジタル信号に変換する。制御回路９２はＡ／Ｄ変換器９１によって得られたディジタル信号のサンプルデータをサンプルメモリ９３に順次書き込むと共にサンプルメモリ９３から表示すべきデータを読み出して表示メモリ９４に書き込んで展開する。表示メモリ９４は表示パネル９７の各画素に対応した記憶位置を有する。Ｘ及びＹドライバ９５，９６は表示メモリ９４に書き込まれたデータに応じて表示パネル９７を駆動して表示パネル９７に入力アナログ信号の波形を表示させる。インターフェース９９は上記のパソコン６２と接続するための例えば、ＧＰＩＢ、１０ＢＡＳＥ−Ｔ、或いはＲＳ−２３２Ｃ等のインターフェース規格に基づいた回路であり、サンプルメモリ９３に書き込まれたデータを制御回路９２を介してパソコン６２に転送する。また、インターフェース９９はパソコン６２からの指令を制御回路９２に中継供給する。
【００２６】
かかる構成のプリピット波形測定装置において、減算器３３から出力されるプッシュプル信号ＰＰは、光ディスク１の場合には図２に示したようにウォブリングさせたグルーブ１０３によって図９(a)に示すようにサイン波形（正確にはサイン波形に酷似した波形であるが、説明の便宜上サイン波形と称する）を示す。また、図９(a)に示すようにプッシュプル信号ＰＰにおいてＬＰＰに対応した部分、すなわちＬＰＰ成分はサイン波形から負側に大きく突出し、閾値ＴＨを越える。図９(a)に示した２つのＬＰＰ成分は同期用のＬＰＰと、その同期用のＬＰＰから３番目のＬＰＰとに対応している。すなわち、２番目のＬＰＰがない１周期部分を読み出した場合のプッシュプル信号ＰＰの波形である。
【００２７】
プッシュプル信号ＰＰはＬＰＰ間隔検出回路６０のコンパレータ７１においてウォブルスライス信号Ｗsliceと比較されて図９(b)に示す如き波形の２値化ウォブル信号となる。２値化ウォブル信号はプッシュプル信号ＰＰがウォブルスライス信号Ｗsliceより大のレベルであれば、１を示し、プッシュプル信号ＰＰがウォブルスライス信号Ｗslice以下のレベルであれば、０を示すパルス信号となる。２値化ウォブル信号は４分周回路７２によって４分周されることにより、図９(c)に示す如き波形となる。この４分周された信号の周期ｔは、プッシュプル信号ＰＰの同期用のＬＰＰ成分から３番目のＬＰＰ成分までの時間の２倍の長さに相当する。なお、スピンドルサーボ装置によるサーボ動作によってスピンドルモータ９は光ディスク１を所定の線速度で回転させるので、その光ディスク１についての周期ｔは一定であるとする。
【００２８】
４分周された信号の周期ｔはカウンタ７３においてクロック信号のパルス計数によって測定される。カウンタ７３による計数値、すなわち周期ｔはパソコン６２に供給される。パソコン６２は、カウンタ７３による計数値ｔを用いてｔ／２を算出することにより、プッシュプル信号ＰＰの同期用のＬＰＰ成分から３番目のＬＰＰ成分までの時間を求める。算出されたｔ／２は遅延時間としてオシロスコープ６１に供給される。
【００２９】
この遅延時間ｔ／２の算出動作中にパソコン６２は、プッシュプル信号ＰＰの同期用のＬＰＰ成分の位置を検出する。同期用のＬＰＰ成分の位置はプッシュプル信号ＰＰと閾値ＴＨとの比較によってＬＰＰ成分の時点が検出される毎にＬＰＰ成分の発生間隔から判断される。ＬＰＰ成分の間隔として得るものは、同期用のＬＰＰ成分から２番目のＬＰＰ成分までの時間、２番目のＬＰＰ成分から３番目のＬＰＰ成分までの時間、同期用のＬＰＰ成分から３番目のＬＰＰ成分までの時間、２番目のＬＰＰ成分から次の周期の同期用のＬＰＰ成分間での時間、３番目のＬＰＰ成分から次の周期の同期用のＬＰＰ成分間での時間、同期用のＬＰＰ成分から次の周期の同期用のＬＰＰ成分間での時間である。同期用のＬＰＰ成分から２番目のＬＰＰ成分までの時間と、２番目のＬＰＰ成分から３番目のＬＰＰ成分までの時間とは等しく最も短いが、それ以外はここに並べた順に長い時間となる。しかしながら、同期用のＬＰＰ成分から２番目のＬＰＰ成分までの時間、２番目のＬＰＰ成分から３番目のＬＰＰ成分までの時間、及び同期用のＬＰＰ成分から３番目のＬＰＰ成分までの時間各々に比べて、２番目のＬＰＰ成分から次の周期の同期用のＬＰＰ成分間での時間、３番目のＬＰＰ成分から次の周期の同期用のＬＰＰ成分間での時間及び同期用のＬＰＰ成分から次の周期の同期用のＬＰＰ成分間での時間は十分に長いのである。従って、１つのＬＰＰ成分が検出された時点から所定時間経過した時点でＬＰＰ成分が検出されなかった場合には次に生じるＬＰＰ成分は同期用のＬＰＰ成分である。所定時間は例えば、上記のｔ／２より若干長く設定される。
【００３０】
よって、パソコン６２は、図１０に示すように、２値化回路３４から出力された信号を監視し、１つのＬＰＰ成分であるプリピット検出信号ＰＰDが生成されたか否かを判別する（ステップＳ１１）。プリピット検出信号ＰＰDが生成されたならば、その時点からの時間計測を開始する（ステップＳ１２）。そして、その計測時間が所定時間を越えたか否かを判別する（ステップＳ１３）。計測時間が所定時間を越えない場合にステップＳ１１に戻って新たなプリピット検出信号ＰＰDが生成されたか否かを判別する。ステップＳ１１でプリピット検出信号ＰＰDが生成されていないと判別した場合にはステップＳ１３に移行する。
【００３１】
ステップＳ１３において計測時間が所定時間を越えたと判別した場合にはプリピット検出信号ＰＰDが生成されたか否かを繰り返し判別する（ステップＳ１４）。ステップＳ１４においてプリピット検出信号ＰＰDが生成されたと判別した場合には、そのプリピット検出信号ＰＰDは同期用のＬＰＰ成分に対応するので、トリガ信号をオシロスコープ６１に供給する（ステップＳ１５）。
【００３２】
オシロスコープ６１は、トリガ信号に応答してその時点を基準にしてその時点から遅延時間ｔ／２だけ経過した時点を表示中央となるようにプリピット波形を表示する。その表示動作について図８に示したオシロスコープ６１の構成を用いて説明すると、制御回路９２はパソコン６２からインターフェース９９を介してトリガ信号を受けると、Ａ／Ｄ変換器９１によって得られたディジタル信号のサンプルデータをサンプルメモリ９３に順次書き込む。これはトリガ信号から設定時間だけで良く、これを繰り返す。一方、サンプルメモリ９３から表示すべきデータを読み出して表示メモリ９４に書き込んで展開する。この読み出しはトリガ信号の供給時点から遅延時間ｔ／２だけ経過した時点Ｔcのデータが表示パネル９７の中央に表示されるように行われる。すなわち、時点Ｔcに対して時間幅Ｔｃ±ｎΔｔ分のサンプルデータだけがトリガ信号毎に繰り返し読み出されて表示メモリ９４に書き込まれる。表示パネル９７の時間軸の目盛り数を２ｎ（ｎは整数）とし、１目盛り単位の時間をΔｔとする。表示メモリ９４に展開された各サンプルデータがＸ及びＹドライバ９５，９６によって表示パネル９７に表示されるので、図１１に示すように、表示パネル９７の中央にプリピット波形が表示されることになる。
【００３３】
図１２はＬＰＰ間隔検出回路６０の他の構成例を示している。図１２のＬＰＰ間隔検出回路６０は、コンパレータ１１１と、単安定マルチバイブレータ１１２、２分周回路１１３と、カウンタ１１４とからなる。コンパレータ１１１はプッシュプル信号ＰＰとＬＰＰスライス信号Ｌslice（閾値ＴＨと同一）と比較して２値化ＬＰＰ信号を生成する。単安定マルチバイブレータ１１２は２値化ウォブル信号に応答して所定幅のパルスを発生する。所定幅のパルスはプッシュプル信号ＰＰの３周期分より若干長いパルスである。単安定マルチバイブレータ１１２の出力パルスは２分周回路１１３及びカウンタ１１４へリセット信号として供給される。２分周回路１１３は２値化ＬＰＰ信号を２分周する。カウンタ１１４はクロック信号のパルスを計数して２値化ＬＰＰ信号の発生間隔を検出する。カウンタ１１４の計数結果はパーソナルコンピュータ６２に供給される。
【００３４】
図１２のＬＰＰ間隔検出回路６０においては、プッシュプル信号ＰＰ（図１３(a)）はコンパレータ１１１によってＬＰＰスライス信号Ｌsliceと比較されて図１３(b)に示す如き波形の２値化ＬＰＰ信号となる。２値化ＬＰＰ信号はプッシュプル信号ＰＰがＬＰＰスライス信号Ｌsliceより大のレベルであれば、１を示し、プッシュプル信号ＰＰがＬＰＰスライス信号Ｌslice以下のレベルであれば、０を示すパルス信号となる。２値化ＬＰＰ信号の立ち下がりエッジによって単安定マルチバイブレータ１１２は図１３(c)に示す如き所定幅のパルスを発生する。このパルスがリセット信号となって２分周回路１１３及びカウンタ１１４に供給される。２分周回路１１３は、図１３(d)に示すように、リセット信号に応じてリセットされた後、２値化ＬＰＰ信号（同期用のＬＰＰ成分）の立ち上がりエッジで高レベルとなり、次の２値化ＬＰＰ信号（３番目のＬＰＰ成分）の立ち上がりエッジで低レベルとなるパルスを発生する。このパルスの時間幅がカウンタ１１４においてクロック信号のパルス計数によって測定される。カウンタ１１４による計数値はパソコン６２に供給される。パソコン６２は、カウンタ１１４による計数値をプッシュプル信号ＰＰの同期用のＬＰＰ成分から３番目のＬＰＰ成分までの時間（上記のｔ／２に相当する時間）を遅延時間としてオシロスコープ６１に供給する。
【００３５】
図１４はＬＰＰ間隔検出回路６０の他の構成例を更に示している。図１４のＬＰＰ間隔検出回路６０は、コンパレータ１２１と、単安定マルチバイブレータ１２２、２分周回路１２３と、カウンタ１２４と、除算器１２５とからなる。コンパレータ１１１はプッシュプル信号ＰＰとＬＰＰスライス信号Ｌslice（閾値ＴＨと同一）と比較して２値化ＬＰＰ信号を生成する。単安定マルチバイブレータ１１２は２値化ウォブル信号に応答して所定幅のパルスを発生する。所定幅のパルスはプッシュプル信号ＰＰの３周期分より若干長いパルスである。単安定マルチバイブレータ１１２の出力パルスは２分周回路１１３に供給される。２分周回路１１３は単安定マルチバイブレータ１１２の出力信号を２分周して２分周パルスを生成する。カウンタ１１４はクロック信号のパルスを計数して２分周パルスのパルス幅Ｔ（図４に示した周期Ｔ）を計数する。除算器１２５はパルス幅Ｔの１／８の計算を行ってその計算結果をパーソナルコンピュータ６２に供給する。
【００３６】
図１４のＬＰＰ間隔検出回路６０においては、プッシュプル信号ＰＰ（図１５(a)）はコンパレータ１２１によってＬＰＰスライス信号Ｌsliceと比較されて図１５(b)に示す如き波形の２値化ＬＰＰ信号となる。２値化ＬＰＰ信号はプッシュプル信号ＰＰがＬＰＰスライス信号Ｌsliceより大のレベルであれば、１を示し、プッシュプル信号ＰＰがＬＰＰスライス信号Ｌslice以下のレベルであれば、０を示すパルス信号となる。２値化ＬＰＰ信号の立ち下がりエッジによって単安定マルチバイブレータ１２２は図１５(c)に示す如き所定幅のパルスを発生する。このパルスが２分周回路１２３によって２分周されると、図１５(d)に示すように、単安定マルチバイブレータ１２２の１つの出力パルスの立ち上がりエッジで高レベルとなり、次の出力パルスの立ち上がりエッジで低レベルとなる２分周パルスを発生する。この２分周パルスの時間幅Ｔはカウンタ１２４においてクロック信号のパルス計数によって測定される。カウンタ１２４による計数値は除算器１２５によってＴ／８にされる。Ｔ／８は図１５(a)から明らかなようにプッシュプル信号ＰＰのサイン波形は同期用のＬＰＰ成分から次の同期用のＬＰＰ成分までに１６周期あり、同期用のＬＰＰ成分から３番目のＬＰＰ成分までは２周期分（上記のｔ／２に相当する時間）であるからである。除算器１２５の出力値Ｔ／８は遅延時間としてオシロスコープ６１に供給される。
【００３７】
また、オシロスコープ６１がプッシュプル信号ＰＰのＬＰＰ成分の間隔及びＬＰＰ成分の幅を測定する自動測定機能を有している場合には、ＬＰＰ間隔検出回路６０を用いることなく、オシロスコープ６１とパソコン６２とが図１６に示すように動作してプリピット波形をオシロスコープ６１の画面中央に表示させることができる。すなわち、オシロスコープ６１はプッシュプル信号ＰＰを入力してその波形を表示する（ステップＳ２１）。パソコン６２は同期用のＬＰＰ成分から３番目のＬＰＰ成分までが画面に表示されるように時間軸及びトリガポイント設定のコマンドをオシロスコープ６１に送信する（ステップＳ２２）。図１７はステップＳ２１の動作によってオシロスコープ６１の画面に表示されたプッシュプル信号ＰＰの波形例を示しており、ステップＳ２２の送信動作によってトリガポイント（図１７の符号ＴＰ）が指定される。オシロスコープ６１は上記の自動測定機能によってプッシュプル信号ＰＰのＬＰＰ成分の間隔及びＬＰＰ成分の幅を測定し（ステップＳ２３）、その測定結果をパソコン６２に送信する（ステップＳ２４）。パソコン６２はプッシュプル信号ＰＰのＬＰＰ成分の間隔及びＬＰＰ成分の幅をオシロスコープ６１から受信すると、遅延時間を算出する（ステップＳ２５）。ＬＰＰ成分の間隔をＡとし、ＬＰＰ成分の幅をＢとすると、遅延時間はＡ−Ｂ／２である。ＬＰＰ成分の間隔Ａに対してＬＰＰ成分の幅Ｂの半分を差し引く理由は、トリガポイントからのＬＰＰ成分の間隔Ａだけ離れた位置はＬＰＰ成分波形の中央ではなくＬＰＰ成分波形のエッジ部分であるからである。すなわち、トリガポイントの検出ではプッシュプル信号ＰＰとＬＰＰスライス信号Ｌsliceとを比較するので、プッシュプル信号ＰＰのＬＰＰ成分のピークポイントではなくそのリーディングエッジの途中でＬＰＰ成分が検出され、それがトリガポイントとして扱われる。よって、ＬＰＰ成分の間隔Ａに対してＬＰＰ成分の幅Ｂの半分を差し引くことにより、プリピット波形が画面中央に位置するように遅延時間を適切に設定している。しかしながら、プリピット波形が画面中央にほぼ位置するだけでも良いならば、遅延時間Ａとしても良い。
【００３８】
遅延時間Ａ−Ｂ／２を算出した後、時間軸の目盛り単位とその遅延時間をオシロスコープ６１に送信する（ステップＳ２６）。オシロスコープ６１は時間軸の目盛り単位、遅延時間及びトリガポイントに基づいてプリピット波形を表示する（ステップＳ２７）。オシロスコープ６１は、トリガポイント時点を基準にしてその時点から遅延時間だけ経過した時点を表示中央となるようにプリピット波形を表示する。
【００３９】
なお、本発明は記録媒体がデータ記録前及び記録後のいずれの状態であっても適用することができる。
【００４０】
【発明の効果】
以上の如く、本発明によれば、プリピット波形を表示装置の表示画面の中央に容易に位置させることができる。
【図面の簡単な説明】
【図１】ＤＶＤ−ＲＷの各領域の配置構造を示す図である。
【図２】ＤＶＤ−ＲＷの記録面の構造を示す図である。
【図３】ＬＰＰ成分を含むラジアルプッシュプル信号の波形を示す図である。
【図４】プリピット検出信号の波形を示す図である。
【図５】プリピット波形を示す図である。
【図６】本発明によるプリピット波形測定装置を示すブロック図である。
【図７】図６の装置中のヘッドアンプ、プリピット検出回路及びＬＰＰ間隔検出回路の構成を示すブロック図である。
【図８】図６の装置中のオシロスコープの概略構成を示すブロック図である。
【図９】ＬＰＰ間隔検出回路の各部の動作を示す波形図である。
【図１０】図７の装置中のＣＰＵによるトリガ信号発生動作を示すフローチャートである。
【図１１】オシロスコープに表示されるプリピット波形例を示す図である。
【図１２】ＬＰＰ間隔検出回路の他の構成を示すブロック図である。
【図１３】図１２のＬＰＰ間隔検出回路の各部の動作を示す波形図である。
【図１４】ＬＰＰ間隔検出回路の他の構成を示すブロック図である。
【図１５】図１４のＬＰＰ間隔検出回路の各部の動作を示す波形図である。
【図１６】オシロスコープとパソコンとによるプリピット波形表示動作を示すフローチャートである。
【図１７】オシロスコープに表示されるプッシュプル信号の波形例及びトリガポイントを示す図である。
【符号の説明】
１  光ディスク
２  記録再生ヘッド
５  プリピット検出回路
１０  スライダ
２０  ４分割光検出器
６０  ＬＰＰ間隔検出回路
６１  オシロスコープ
６２  パソコン
【図１】
0003929271.tif 000002
【図２】
0003929271.tif 000003
【図３】
0003929271.tif 000004
【図４】
0003929271.tif 000005
【図５】
0003929271.tif 000006
【図６】
0003929271.tif 000007
【図７】
0003929271.tif 000008
【図８】
0003929271.tif 000009
【図９】
0003929271.tif 000010
【図１０】
0003929271.tif 000011
【図１１】
0003929271.tif 000012
【図１２】
0003929271.tif 000013
【図１３】
0003929271.tif 000014
【図１４】
0003929271.tif 000015
【図１５】
0003929271.tif 000016
【図１６】
0003929271.tif 000017
【図１７】
0003929271.tif 000018